(57)【要約】  エクササイズ用組立体は、異なる漕ぐ動きに特徴づけられる異なるボート漕ぎ運動を実施するように構成されている。抵抗装置は、チャンバー内で移動可能であり、かかる動作に抵抗するために協同するように構成されている。駆動組立体は、それぞれが独立して前記抵抗装置に駆動関係に連結された２つの駆動部を含む。連結構造体は、それぞれがハンドルに取り付けられかつ前記駆動部の異なる１つに駆動関係に連結された、２つの連結部材を含む。このハンドルは、複数の異なる漕ぐ動きにより選択的に移動可能である。少なくとも１つの異なる漕ぐ動きにより、結果として２つの駆動部が抵抗部材を同時に駆動し、２つの連結部材により同時に駆動される。ハンドルの少なくとも１つの他の漕ぐ動きは、各駆動部が抵抗部材を交互に駆動し、前記連結部材の相互連結しているものによって交互に駆動されることにより定義される。
2019521819.tif 000002
【特許請求の範囲】
【請求項１】
異なるボート漕ぎ運動を実施するように構成されたエクササイズ用組立体において、
内部に動作可能に配置された抵抗装置を含むチャンバーであって、前記抵抗装置が前記チャンバー内でその所定の動作に抵抗するよう構成されているチャンバーと、
前記抵抗装置に駆動関係に連結された駆動組立体と、
前記駆動組立体に駆動関係に連結されたハンドルであって、前記ハンドルは複数の異なる漕ぐ動きを通じて、前記駆動組立体と共に同時に前記駆動する組立体に対して移動可能であり、ユーザーによる前記ハンドルの手動動作が、前記複数の異なる漕ぐ動きのうち選択した１つを通じて、前記異なるボート漕ぎ運動のうちの所定の１つの実施を決定するハンドルと、
を含む、エクササイズ用組立体。
【請求項２】
前記ハンドルと前記駆動装置との間に相互連結関係に配置された連結構造体であって、
前記複数の異なる漕ぐ動きを通じて、前記ハンドルの前記手動動作と同時に、前記ハンドルおよび前記駆動組立体の両方と共に移動可能である連結構造体をさらに含む、請求項１に記載のエクササイズ用組立体。
【請求項３】
前記駆動組立体が、前記抵抗部材に移動可能かつ独立して駆動関係にそれぞれ連結された少なくとも２つの駆動部を含む、請求項１に記載のエクササイズ用組立体。
【請求項４】
前記ハンドルを前記少なくとも２つの駆動部のそれぞれに移動可能に相互連結する連結構造体をさらに含む、請求項３に記載のエクササイズ用組立体。
【請求項５】
前記連結構造体および前記少なくとも２つの駆動部のそれぞれが、前記ハンドルの前記複数の異なる漕ぐ動きのうち前記選択した１つに少なくとも部分的には応じて、前記抵抗部材と駆動係合で独立しておよび同時に配置されるように、協同するよう構成されている、請求項４に記載のエクササイズ用組立体。
【請求項６】
前記連結構造体が、前記ハンドルと前記駆動部の異なるものとの間に相互連結関係でそれぞれ配置された少なくとも２つの連結部材を含む、請求項４に記載のエクササイズ用組立体。
【請求項７】
前記ハンドルの前記複数の異なる漕ぐ動きのうちの少なくとも１つが、前記抵抗部材に交互に駆動関係に連結し、前記連結部材の相互連結しているものと被駆動関係に連結している、前記少なくとも２つの駆動部のそれぞれを含む、請求項６に記載のエクササイズ用組立体。
【請求項８】
前記ハンドルが一体式の向きを含み、前記少なくとも２つの連結部材が前記ハンドルに互いに離間した関係で取り付けられ、前記複数の異なる漕ぐ動きのうちの前記少なくとも１つにより、前記ハンドルの動作中に前記ハンドルと共に移動可能である、請求項７に記載のエクササイズ用組立体。
【請求項９】
前記ハンドルの前記複数の異なる漕ぐ動きのうちの少なくとも１つが、前記抵抗部材に同時に駆動関係に連結し、前記連結部材の相互連結しているものと被駆動関係に連結している、前記少なくとも２つの駆動部を含む、請求項７に記載のエクササイズ用組立体。
【請求項１０】
前記少なくとも２つの連結部材のそれぞれが、細長い柔軟な構造を含む、請求項９に記載のエクササイズ用組立体。
【請求項１１】
前記ハンドルの前記複数の異なる漕ぐ動きのうちの少なくとも１つが、前記抵抗部材に同時に駆動関係に連結し、前記少なくとも２つの連結部材の相互連結しているものと被駆動関係に連結している、前記少なくとも２つの駆動部を含む、請求項６に記載のエクササイズ用組立体。
【請求項１２】
前記駆動組立体が、前記連結構造体にそれぞれ連結している２つの駆動部を含み、前記２つの駆動部は、独立してかつ同時に前記抵抗部材と駆動関係であり選択的に配置可能である、請求項１に記載のエクササイズ用組立体。
【請求項１３】
前記連結構造体が、前記ハンドルと前記駆動部の異なるものとの間に相互連結関係でそれぞれ配置された少なくとも２つの連結部材を含む、請求項１２に記載のエクササイズ用組立体。
【請求項１４】
前記駆動部のそれぞれが、駆動リンク機構とプーリーとを含み、前記プーリーは前記連結部材の対応するものに回転可能に連結しており、前記駆動リンク機構は前記プーリーを前記抵抗部材に駆動するように相互連結している、請求項１３に記載のエクササイズ用組立体。
【請求項１５】
前記駆動リンク機構が、前記複数の異なる漕ぐ動きの少なくとも一部の間に、前記抵抗部材の一方向のフリーホイールの回転を容易にするように配置され構成された方向性駆動構造体を含む、請求項１４に記載のエクササイズ用組立体。
【請求項１６】
前記チャンバーが空気チャンバーを含み、前記抵抗装置が複数のブレードを含むファン構造体を含み、前記複数のブレードが前記空気チャンバー内で前記ファン構造体の回転に抵抗を与えるように配置され構成されている、請求項１に記載のエクササイズ用組立体。
【請求項１７】
前記空気チャンバーに連結され、気流を前記空気チャンバーの内部へ前記ファン構造体と相互作用関係に調節するように構成された、調整可能な空気取入口をさらに含む、請求項１６に記載のエクササイズ用組立体。
【請求項１８】
前記空気チャンバーが少なくとも１つの開口部を含む給気口を含み、前記空気取入口は、前記給気口の前記少なくとも１つの開口部と気流調節関係にあるように、前記空気チャンバーに選択的に配置可能な開孔した構造を含む、請求項１７に記載のエクササイズ用組立体。
【請求項１９】
前記チャンバーおよび前記抵抗装置に対して少なくとも部分的に閉じる関係に配置された筐体をさらに含み、前記筐体は前記筐体を支持面に移動可能におよび固定して位置するように構成されている支持組立体を含む、請求項１に記載のエクササイズ用組立体。
【請求項２０】
前記筐体に連結され前記ユーザーの一部と取り外し可能な保持係合で配置された保持構造体をさらに含み、前記複数の異なる漕ぐ動きのうちの少なくとも１つの間に、前記筐体が前記ユーザーと共に、および前記ユーザーに対して、前記ユーザーの一部との前記保持係合および前記筐体を前記支持面に移動可能に位置させる前記支持組立体と同時に移動可能である、請求項１９に記載のエクササイズ用組立体。
【請求項２１】
前記筐体は、前記複数の異なる漕ぐ動きのうちの少なくとも１つの間に、前記保持係合および前記筐体を前記支持面に固定して位置させる前記支持組立体と同時に、前記ユーザーに対して固定された位置に配置されている、請求項２０に記載のエクササイズ用組立体。
【請求項２２】
前記ハンドルの前記漕ぐ動きを検出し処理するように構成されたモーションセンサー組立体さらに含み、前記モーションセンサー組立体は、前記処理された漕ぐ動きに関連するモーションデータを形成するように構成されており、前記モーションデータを対応するインタラクティブディスプレイに送信するように動作可能な送信能力を含む、請求項１に記載のエクササイズ用組立体。
【請求項２３】
異なるボート漕ぎ運動を実施するように構成されたエクササイズ用組立体であって、
内部に動作可能に配置された抵抗装置を含むチャンバーを含む筐体であり、
前記抵抗装置が前記チャンバーと協同するように構成されて前記チャンバー内でのその回転に抵抗する筐体と、
前記抵抗装置と独立して駆動関係に連結された２つの駆動部を含む駆動組立体と、
ハンドルと、連結構造体とを含み、前記連結構造体が、前記ハンドルと前記駆動部の異なるものとの間に駆動関係でそれぞれ配置された少なくとも２つの連結部材を含み、
前記ハンドルが複数の異なる漕ぐ動きによって、同時に前記駆動する組立体と共に、および前記駆動する組立体に対して移動可能であり、
前記少なくとも２つの駆動部によって定義される、前記ハンドルの前記複数の異なる漕ぐ動きのうちの少なくとも１つが、前記抵抗部材に同時に駆動関係に連結し、前記少なくとも２つの連結部材の相互連結しているものと被駆動関係に連結している、
前記少なくとも２つの駆動部のそれぞれによって定義される、前記ハンドルの少なくとも１つの他の前記複数の異なる漕ぐ動きが、前記抵抗部材に交互に駆動関係に連結し、前記連結部材の相互連結しているものと被駆動関係に連結している、エクササイズ用組立体。
【請求項２４】
前記ハンドルの前記漕ぐ動きを検出し処理するように構成されたモーションセンサー組立体さらに含み、前記モーションセンサー組立体は前記処理された漕ぐ動きに関連するモーションデータを形成するように構成されており、前記モーションセンサー組立体は前記モーションデータを対応するインタラクティブディスプレイに送信するように動作可能な送信能力を含む、請求項２３に記載のエクササイズ用組立体。
【請求項２５】
前記モーションデータが、インタラクティブディスプレイで視覚化するために、前記ハンドルの前記漕ぐ動きを前記ボート漕ぎ運動の対応するものに再現するように形成されている、請求項２４に記載のエクササイズ用組立体。
【請求項２６】
前記筐体の外部に形成した空洞をそれぞれ含む、２つのボールジョイント台をさらに含み、前記ボールジョイント台のそれぞれが前記空洞の対応するものの中に移動可能に設置されたボールを含み、前記ボールのそれぞれは、前記連結部材の異なるものがそこを通過してチャンバーに入ることを可能にするように寸法取りされた開口部を含み、請求項２３に記載のエクササイズ用組立体。
【請求項２７】
前記２つの連結部材のそれぞれが、前記ボールジョイント台の異なるものを通過して、駆動部の異なるものと連結関係にある、請求項２６に記載のエクササイズ用組立体。
【請求項２８】
前記ボールのそれぞれが、前記空洞の対応するものの中に配置可能であり、前記空洞の対応するものの中で少なくとも部分的に自由に動く範囲にある、請求項２６に記載のエクササイズ用組立体。
【発明の詳細な説明】
【優先権の主張】
【０００１】
本願は、２０１６年６月２０日に出願された米国特許仮出願第６２／３５２，２０２号の優先権を主張する２０１６年１２月２日に出願された先の米国特許出願第１５／３６７，２８９号、および別の現在審査中である２０１６年１１月９日に出願された先の米国仮出願第６２／４１９，６１８号の一部継続出願であり、これらの内容は、どちらも全体が参照により本明細書に組み入れられる。
【技術分野】
【０００２】
本発明は、カヤック漕ぎおよびボート漕ぎの動きを再現する、新規の陸上に配置するエクササイズ装置に関する。より詳しくは、本発明は、カヤック漕ぎおよびボート漕ぎの動きおよび抵抗の両方を再現し、エクササイズ装置のパドルハンドルの動きを、テレビゲーム、動画、仮想現実動画および／またはフィットネス用トラッキングソフトウエアに表示されるカヤック漕ぎまたはボート漕ぎ動作の対応する動きにすぐに移し替える、エクササイズ装置に関する。
【背景技術】
【０００３】
体力は、通常、高齢者から比較的若い人まで、ほぼ全ての個人のためになると考えられている。体力の利点は、病気にかかるリスクの低減、激しい活動または通常の活動を行う際のけがの回避、および生活の質の全体的な改善によって少なくとも部分的には示されるように、健康全般の向上につながる。さらに、体力活動を行う際には、人は通常、体の柔軟性、筋力の向上、ならびに代謝率の向上、全身持久性、および体脂肪率の削減を試みる。また、一般に、エクササイズを通じて、体力が個人の精神の健康の維持と向上において重要な役割を果たすと認められている。
【０００４】
体力を向上させる試みは、通常、特定のまたは一般的なエクササイズ運動の実施を伴う。よって、このような運動の多くは、専用の器具を必要とせずに、屋外で実施できる。一例として、定期的なランニングやウォーキングは体力（具体的には心血管系の向上を含むがこれに限定されない）を高める公知の方法である。しかし、多くの個人は、あるスポーツおよび／または身体活動を実施する能力を向上するために、体の特定の部分および／または筋群の物理的状態を向上しようとする。
【０００５】
例えば、ウェイトトレーニングは特に多くの機能的な利点をもたらす。よって、ウェイトトレーニングは、筋肉を強化して姿勢を良くし、関節へのサポートを高める。さらに、ウェイトトレーニングは筋肉量を増やし、次に、代謝の向上、体重減少につながる可能性があり、また、ある特定の条件では、特定のスポーツ活動の成績を向上する助けとなる。
【０００６】
したがって、身体的なトレーニングまたはエクササイズの一部の分野では、エクササイズ用器具および／または機器の使用を伴うことが好ましい。一般的に言って、最終目標が特定の筋群の筋肉量の増強または持久力の向上であるかどうかにかかわらず、この種類のエクササイズ用器具は、一般に、動作またはユーザーの動きに対してある程度の抵抗をユーザーに与える。どちらの場合でも、専用のエクササイズ用器具が与える抵抗の程度は、異なるトレーニング運動および／または特定の筋群の発達がより効率よくかつ効果的に達成できるように、ほとんど常に選択的に可変である。
【０００７】
さらなる例として、もっと専用のエクササイズマシンおよび／またはエクササイズ用器具は、ユーザーの漕ぐ動きの能力を容易にするように構成されており動作可能である。さらに、これらの種類のエクササイズマシン／エクササイズ用器具は、ユーザーによって練習することが好ましいボート漕ぎ行動または動きの種類によってより専用化できる。ボート漕ぎ競技は、優れたエクササイズの形式として長らく認められている。よって、気軽なボート漕ぎまたは競技としてのボート漕ぎのいずれかに従事する人は、かかるボート漕ぎマシンを用いてエクササイズを行うことにより、その脚、背中、肩、腕および体の他の部分を効率よく発達させられる。適切に設計されて操作可能であれば、かかるボート漕ぎマシンは、ユーザーの体への叩きつけまたは類似の動的な効果を避けることによって、ユーザーに外傷を与えることはほとんどない。さらに、既知のまたは既存のボート漕ぎマシンは、屋内での使用に適合されているため、比較的小型で持ち運び可能である場合がある。
【発明の概要】
【発明が解決しようとする課題】
【０００８】
しかし、既知のまたは既存のボート漕ぎマシンの多くは、ユーザーが実際のボート、カヌー、他の好適な船に乗っている場合に対応する本当のボート漕ぎ行動を実施することを可能にはしないという点では、ユーザーに提供する汎用性が比較的限定されている。言い換えれば、かかるボート漕ぎマシンを操作する場合のユーザーの動作または動きは、実際の、または現実の漕ぐ動きと同一でないことが多い。さらに、この種類の従来のマシンの既知のものの多くは、異なるユーザーの力、サイズ、年齢などに対応するよう調整すると同時に、ユーザーが異なるボート漕ぎ運動間での変更を行えるようにする、意味のある、または選択的な調整ができない。
【０００９】
したがって、エクササイズ業界および体力増強の一般分野において、様々な異なるボート漕ぎ運動の実施を容易にすることができるエクササイズ用組立体が必要とされている。また、ユーザーが実施できる複数の異なるボート漕ぎ運動は、本当の、または現実の漕ぐ動きにより詳細に似ているであろう。よって、異なる漕ぐ動きは、カヌーもしくはカヤックのパドル漕ぎ、またはユーザーが同時に２本のボート漕ぎ用オールを操作する典型的なボートに関連する動きを含むがこれに限定されない異なる運動を再現できる。さらに、提案されている好ましいかかるエクササイズ用組立体は、ユーザーが上述の実施可能な複数のボート漕ぎ運動のうちの異なるものに、急いでかつ効率よく切替えできるように、実施する動きを容易に変更または切替えできるようにする必要がある。
【００１０】
また、提案されている好ましいかかるエクササイズ用組立体は、異なるユーザーに対応するために、および記載した種類の異なるボート漕ぎ運動の実施を容易にするために、可変の抵抗特徴部を含んでいる必要がある。また、提案されているかかるエクササイズ用組立体は、複数の異なる漕ぐ動きの任意のものを分析してデジタル表示に変換するために、十分に汎用性があり、効果的に操作可能である必要がある。このデジタル表示は、次いで、テレビゲーム、動画プログラム、３次元仮想現実、フィットネス用トラッキングプログラムなどに組み込むことができる。
【課題を解決するための手段】
【００１１】
本発明は、ユーザーが床に、および／または床に置かれた椅子もしくは座席構造体に座ることを可能にするエクササイズ用組立体を対象とする。そのように配置された場合、ユーザーは、カヤック漕ぎまたはボート漕ぎの、漕ぐ動きおよび体の抵抗の再現を試みることができ、エクササイズ用組立体のパドル／ハンドルの動きを、テレビゲーム、動画、仮想現実動画および／またはフィットネス用トラッキングソフトウエアに表示される、カヤック漕ぎまたはボート漕ぎの動作の対応する動きに即時に移し替えることができる。
【００１２】
エクササイズは、ユーザーがパドル／ハンドルをパドルハンドルの各終端に取り付けられた連結構造体と共に引くことにより実施される。ストラップの他端は、エクササイズ用組立体の筐体の内部に入り、プーリー部材の周囲に巻き付けられる。プーリー部材は、個々の駆動軸および４：１のギア連結機構により、空気チャンバー内のファン構造体などの抵抗部材に駆動関係に取り付けられた第２の被駆動軸を回す。回転するファンブレードが空気チャンバー内部の空気の気圧に対して押し、それによりユーザーの動きに対して抵抗を与える。ファンブレードに対する空気抵抗の量は、ファンチャンバーと装置の外部との間の空気流量を制御する通気孔を可変的に開け閉めすることにより調整可能である。チャンバーへの空気流量を調整することにより、ユーザーがパドル／ハンドルを引っ張る難易度を調整する。パドルハンドルのどちらか一方の端部が引っ張られると、同じパドルハンドルの終端に取り付けられた連結部材が、駆動組立体の駆動部のうち、対応するもののプーリーを回す。各プーリーは、駆動ギアに取り付けられた個別の第１の駆動軸にそれぞれ取り付けられている。駆動ギアのそれぞれは、対応するように配置された、被駆動軸に連結され被駆動軸と共に回転する被駆動ギアと、噛合って駆動係合するように配置されている。プーリーの１つまたは両方を引っ張る動きが止まった場合、抵抗装置および／またはファン構造体は、駆動部と関連するプーリーシステムおよび／またはリンク機構に組み込まれたクラッチおよび／またはフリーホイール機構により回り続ける。プーリーシステムに取り付けられたストラップから引っ張る動きが逆転した場合、プーリーシステムに統合された巻き付けられた引っ張りばねが、プーリーを反対方向に回転させ、ストラップを引き込んでプーリーの周りに巻き戻す。
【００１３】
ユーザーは、エクササイズ用組立体の筐体の前で地面または座席に座って、足を関連するフットプレートまたは保持プレートに置く。本装置は、複数の車輪、キャスター、コロなどを含んでいてよい、移動可能な支持体の上に置かれる。さらに、移動可能な支持体は、ロックされた（移動不可能）向きまたはロックされていない（移動可能）向きに設定することができる。カヤック漕ぎのエクササイズを実施する場合、移動可能な支持体は、ロックされた位置に置かれる。
【００１４】
カヤック漕ぎのエクササイズ中は、布製の台座と背もたれで構成され得る座席が、ストラップにより本装置に取り付けられ、ユーザーの背中を支持する。座席の下面の形状は、座席の下面に異なるパネルを取り付けることにより変えられる。パネルの平らな上面が、留め金およびストラップにより座席の平らな下面に連結する。パネルの下面は、座席が地面に対して３６０度全部または３６０度の一部だけ傾くことを可能にする、様々な湾曲形状または膨張可能な弾性材料で構成されることができる。この傾く動きに対抗することで、ユーザーの筋肉を使うことになる。車輪がロックされていない場合、本装置は地上を前方または後方に転がって進むことができる。本装置では、ボート漕ぎ装置のタイプのエクササイズは、車輪がロックされていない状態で着席した位置で体から遠ざけるように脚を延ばしながらユーザーがパドルハンドルの両端を均等に引く場合に実施できる。この動作がユーザーから遠ざけるように本装置を押す。ユーザーの足をフットレストに固定するフットレストのストラップは、プーリー機構がストラップをプーリーに引き込む間に、ユーザーに向かって本装置が引き戻されることを可能にする。
【００１５】
パドル／ハンドルに取り付けられているのは、加速度計、ジャイロスコープなど、および、Ｂｌｕｅｔｏｏｔｈ（登録商標）を使用可能な装置などであるがこれに限定されない無線通信を含み得るモーションセンサーである。「Ｂｌｕｅｔｏｏｔｈ」を使用可能な装置は、パドルの３次元の動作を追跡し、パドル／ハンドルの動きを近くのスマートフォン、タブレット、または仮想現実ゴーグルを含むがこれらに限定されない、プロセッサー／ディスプレイ組立体に送信する。このような表示装置には、動作情報または「モーションデータ」を移し換えて、適合するパドルの３次元の動作、ならびにテレビゲーム、動画、仮想現実動画、およびフィットネス用トラッキングソフトウエアに表示された、カヤックの漕ぎ手もしくはボートの漕ぎ手ならびに／またはカヤックおよび／もしくはボートの投影された３次元の動作に統合するソフトウエアを含み得る。加速度計、ジャイロスコープなどからのモーションデータは、ディスプレイ組立体に関連するプロセッサー／ソフトウエアにより解釈し、パドルのストローク数、ボートの動作の速度、移動距離、ストロークの力を含むがこれらに限定されない、カヤックの漕ぎ手／ボートの漕ぎ手およびカヤック／ボートの動作の追跡、ならびに体力測定値および体力情報を表示することができる。
【００１６】
より具体的には、本発明のエクササイズ用組立体は、複数の異なるボート漕ぎ運動を実施するように構成されており、各ボート漕ぎ運動は、少なくとも１つの異なる漕ぐ動きにより定義されるか特徴づけられる。ほんの一例として、「カヤック漕ぎ」に関連する漕ぐ動きは、典型的にはユーザーがカヤックのパドルに共通に関連する方法でハンドルを動かすことを含み得る。よって、カヤックのパドルの異なるブレードまたは端部は、交互に水に入りカヤックを前に推進する。対照的に、典型的なボートに関連する従来の漕ぐ動きは、異なる運動を定義する。よって、ボートの推進に関連する漕ぐ動きは、典型的には、結果的にボートに関連する「オール」の両方が同時に動かされるような方法による、ユーザーによるエクササイズ用組立体のハンドルの動作を伴う。したがって、ボート運動に関連する、かかる漕ぐ動きは、各「オール」のブレード端部が同時に水に入る。
【００１７】
一般に認められ、上述のように、カヤック漕ぎに関連する「漕ぐ動き」は、従来のボートの推進に関連する漕ぐ動きとは顕著に異なる。したがって、本発明のエクササイズ用組立体のユーザーの漕ぐ動きでは、実際にカヤック漕ぎ、ボート漕ぎなどを行う場合にその人がパドルまたはオールを動かすのと同じ方法でハンドルを動かす。結果として、ユーザーにより実施される、ハンドルの可能性のある複数の異なる漕ぐ動きのそれぞれは、異なる「ボート漕ぎ運動」を表す。したがって、本発明のエクササイズ用組立体は、ユーザーが自分の好みに応じて異なるボート漕ぎ運動を実施することを可能にする点において、高い汎用性を示す。
【００１８】
以下に詳述するように、本発明のエクササイズ用組立体の１つ以上の好ましい実施形態の構造的要素および操作用要素には、移動可能または回転可能なチャンバーを含む。このチャンバーは、より具体的には、少なくとも部分的に一時的に内部に維持または捕捉された空気の流れが通る空気チャンバーとして定義できる。抵抗要素は、空気チャンバー内に、取り外し可能にまたはより具体的には回転可能に設置され、空気チャンバー内の流れまたは少なくとも部分的に維持された空気との相互作用により、内部での回転に抵抗するように構成されている。よって、抵抗装置は、チャンバー内の空気と相互作用するように、集合的かつ協同するように配置された羽根の複数のブレードを有するファンまたはファン状の構造体とする。ブレードおよび／または抵抗装置／ファンの他の構成要素間のかかる相互作用は、結果として抵抗装置の回転に対する抵抗となり、それによりユーザーに抵抗を与え、抵抗装置／ファンを回転させる。
【００１９】
ユーザーと抵抗装置の強制された動作との相互作用は、抵抗装置に駆動関係に連結された駆動組立体を設けることにより達成される。さらに、「パドル」として効果的に機能するハンドルは、複数の異なる「漕ぐ動き」の実施の範囲内でユーザーによって操られる。上述のように、各漕ぐ動きは、異なる「ボート漕ぎ運動」の代表的なものであってよい。また、上述のように、複数の異なる漕ぐ動きのそれぞれは、実際にカヤック漕ぎ、ボート漕ぎ、カヌー漕ぎなどをしている個人によって実施された漕ぐ動きと同一であるか実質的に類似している可能性がある。
【００２０】
ハンドルは、連結構造体によって駆動組立体に駆動関係に連結されている。したがって、複数の異なる漕ぐ動きのいずれかによるハンドルの動作は、結果として連結構造体が駆動組立体を駆動し、次いで空気チャンバー内の抵抗部材を駆動／回転させることにつながる。本発明のエクササイズ用組立体の少なくとも１つの動作可能な構造的特徴は、少なくとも２つの駆動部を含む駆動組立体を含む。各駆動部は、抵抗装置が２つの駆動部のどちらかによって独立して駆動／回転され得るように、独立して抵抗装置に連結されている。さらに、ユーザーによってハンドルに対して行われた漕ぐ動きに応じて、２つの駆動部は、抵抗装置を同時に駆動／回転してもよい。また一例として、カヤック漕ぎに関連する漕ぐ動きにおいてユーザーがハンドルを動かす場合、駆動部のそれぞれが交互に抵抗装置に対して駆動関係で配置される。対照的に、従来の２本のオールを使ったボート漕ぎに関連する方法でユーザーがハンドルを動かす場合、２つの駆動部のそれぞれが、同時に抵抗装置に対して駆動関係で配置される。
【００２１】
一般に上述したように、本発明のエクササイズ用組立体は、ハンドルに設置された、または他の方法で動作可能にハンドルに関連付けられた、モーションセンサーも含む。よって、モーションセンサーは、例えば加速度計、ジャイロスコープまたは他のモーションアナライザー／検出器の動作可能な特徴部によって、ユーザーにより実施されたハンドルの各「漕ぐ動き」を検出して処理する。さらに、モーションアナライザーは、複数の異なる漕ぐ動きのそれぞれを互いと区別する、一組の「モーションデータ」を生成または確立する。かかるモーションデータは、次にディスプレイ組立体に送信される。ディスプレイ組立体は、プロセッサーと、場合によっては受信したモーションデータの処理およびそのデジタル表示信号への変換を容易にするソフトウエアアプリケーションとを含む。表示信号は更に処理されてもよく、その結果、エクササイズ用組立体のユーザーがエクササイズ用組立体のハンドルを用いて実施しようとしている「現実の」漕ぐ動きを行っている、ユーザー、実際のパドル、船などの再現の形態で視覚化されてもよい。複数の可動性のまたは固定のプロセッサー／表示装置の任意のものを、生成した表示を見るために用いてもよい。
【発明の効果】
【００２２】
したがって、可能性のある複数の異なる好ましい実施形態のそれぞれを含む本発明のエクササイズ用組立体は、１人以上のユーザーが、年齢や性別にかかわらず、異なる「ボート漕ぎ運動」を定義する、または異なる「ボート漕ぎ運動」を表す、異なる「漕ぐ動き」の実施により、様々な異なるエクササイズを実施できるようにする、高いレベルの汎用性を示す。
【００２３】
本発明のこれらの目的および他の目的、特徴ならびに利点は、図面とともに詳細な説明を考慮することで、より明白となる。
【００２４】
本発明の本質をさらに十分に理解するために、以下の詳細な説明を添付の図面と共に参照されたい。
【図面の簡単な説明】
【００２５】
【図１】図１は、本発明のエクササイズ用組立体の少なくとも１つの好ましい実施形態の斜視図である。
【図２】図２は、図１の実施形態の内部および外部の両方を表す部分破断斜視図である。
【図３】図３は、図３の実施形態の内部の詳細斜視図である。
【図４】図４は、図１〜図３の実施形態の動作状態にある内部の構成要素の斜視図である。
【図５】図５は、図３および図４に表した構造的要素の詳細斜視図である。
【図６】図６は、主に図３および図４の実施形態の内部構造および要素の上面図である。
【図７】図７は、少なくとも図１〜図６の実施形態において使用可能なモーションセンサー組立体および動作可能に関連付けられているディスプレイ組立体の概略図である。
【図８】図８は、図１〜図６の実施形態の内部の操作可能な要素の詳細概略図である。
【００２６】
各図面のいくつかを通じて、同じ参照番号は同じ部材を表している。
【発明を実施するための形態】
【００２７】
添付の図面に示すように、本発明はチャンバー（通常１４で表す）と包含関係に配置された筐体１２を含む、エクササイズ用組立体（通常１０で表す）を対象とする。図３および図４を参照して詳述するように、チャンバー１４は、より正確にかつ定義としては、中を空気が流れ、その中に空気が少なくとも部分的または一時的に維持される、空気チャンバーと説明することができる。また、本発明のエクササイズ用組立体１０は、複数のブレード１８を有するファンまたはファン状の構造体の形態であることが望ましい抵抗装置（通常１６で表す）を含む。ブレード１８は、抵抗装置／ファン構造体１６の内部周囲に配置されていることが好ましいが、必ずしもそうでなくてもよい。
【００２８】
抵抗装置１６は、空気チャンバー１４の内部１４’内で、駆動組立体（通常２０で表す）を起動することにより回転して駆動される。駆動組立体２０は、図６に詳細に示されており、独立してかつ同時に抵抗装置／ファン１６を駆動／回転するようにそれぞれ構成されている少なくとも２つの駆動部２２および２４を含む。さらに、駆動組立体２０の駆動する起動は、ユーザーによる様々な異なる「漕ぐ動き」（添付の図面には示していない）による、ハンドル２６の動作により達成される。可能性のある様々な異なる漕ぐ動きによるハンドル２６の動作は、結果として駆動部２２および２４それぞれの交互のまたは同時の駆動を含めて、駆動組立体２０を駆動する。よって、ハンドル２６は、好ましくは２つの連結部材３２および３４を含む連結構造体３０によって、駆動組立体２０に駆動関係に連結されている。ただし、連結部材３２および３４のそれぞれは、空洞２９内部に移動可能に配置され開口部３１を有するボール２８を含むボールジョイント台２７を通って、筐体１２の内部を通る。さらに、連結部材は駆動部２２および２４の異なる１つにそれぞれ取り付けられている。より具体的には、連結部材３２および３４のそれぞれは、異なるボールジョイント台２７の球状のボール２８の、対応して位置するものに形成された開口部または孔３１を通って、本体１２に入る。また、ボール２８のそれぞれは、低摩擦材で作成されており、空洞２９の対応するもの中で、自由に動く範囲の少なくとも部分的には移動可能に配置されている。開口部３１のそれぞれの寸法、および／または長さ、または他の横断面の寸法は、連結部材３２および３４の対応する横断寸法または横断面よりわずかに大きい。これにより、連結部材３２および３４のそれぞれが開口部３１を通ることが可能になる。開口部３１では、ボール２８がゆとりを持って配置されており、低摩擦の空洞内を移動可能である。これにより、ボール２８が空洞内を滑ることができ、少なくとも３つの次元で回転可能となる。
【００２９】
また、連結部材３２および３４の反対側または外側のむき出しの部分は、限定するわけではないが、例えば反対側の先端または自由端２６’および２６”で、互いに離間した状態でハンドル２６に連結される。連結部材３２および３４がハンドル２６に離間した状態で連結しているために、ユーザーが実施できる異なる漕ぐ動きは、カヤック漕ぎ、従来のボート漕ぎ、カヌー漕ぎなどに関連する実際の現実の漕ぐ動きをより詳しく表す。
【００３０】
まず図６を参照すると、上述のように、駆動組立体２０の少なくとも１つの好ましい実施形態は、少なくとも２つの駆動部２２および２４を含む。さらに、各駆動部２２および２４は、対応するように配置された連結部材３２および３４の異なる一つに連結している、プーリー３６を含む。よって、ハンドル２６に引張力をかけると、結果として連結部材３２および３４がそれぞれのプーリー３６に引張力を同時にまたは交互にかける。かかる引張力は、次いで結果として対応するプーリー３６を回転させる。各プーリー３６は、異なる駆動ギア３８に連結されて当該駆動ギア３８を回転させる。よって、それぞれのプーリー３６の回転により、次いで、駆動ギア３８のそれぞれが回転する。
【００３１】
また、図６に詳細に示されるように、駆動ギア３８のそれぞれは、相互に噛合い駆動係合で被駆動ギア４０に連結されている。さらに、被駆動ギア４０のそれぞれは、異なる駆動軸４２に連結され、当該駆動軸４２と共に回転する。また、各駆動軸４２は、適切なリンク機構により、空気チャンバー１４に独立して連結されている、および／または駆動係合で配置されている。さらに、かかる適切なリンク機構は、空気チャンバー１４に駆動関係に異なる駆動軸４２を独立しておよび／または同時に配置するように動作可能であり、また、クラッチおよび／または「フリーホイールの」構造体を含んでいてもよい。かかるクラッチ／フリーホイールの構造体は、連結部材３２および３４のプーリー３６のそれぞれ／対応するものへの引込みまたは巻戻しと同時に、空気チャンバー１４が意図する方向に回転し続けることを可能にする。
【００３２】
図８に示すように、プーリー３６のそれぞれは、ケーシング３６”の内部に配置された付勢部材３６’を含んでいてもよい。付勢部材３６’は、連結部材３２および３４の対応するものによりプーリー３６にかけられる引張力が、かけられなくなった場合に、プーリー３６のそれぞれが反対方向に回転することにより「巻き戻される」ことを容易にするように、配置され構成されている。プーリー部材３６のかかる巻戻しは、結果的に、次の引張力を対応するプーリー３６にかけるように運転可能に位置させるように、対応する連結部材３２および３４の対応するプーリー３６への巻戻しにつながる。
【００３３】
さらに、かかる付勢部材３６’は、そこにハンドル２６および連結部材３２および３４の対応する１つによって引張力がかけられなくなった場合に、プーリー３６の対応するもの逆回転を容易にする、コイルばねまたは他の付勢構造体の形態であってもよい。巻き戻されると、それによって各プーリー３６は、駆動ギア３８の対応するものにまた駆動する回転力を再びかける位置になり、同時に、連結部材３２および３４の対応するものがユーザーによるハンドル２６の動作／引張り／操作によってプーリー３６に引張力をかける。また、プーリー部材３６のそれぞれは、適切なクラッチ機構および／またはフリーホイールの駆動構造体により、駆動ギア３８の対応するものに連結されてもよい。結果として、駆動ギア３８の同時の逆回転を引き起こさずに、プーリー３６のそれぞれの巻き取る逆回転が可能となる。しかし、かかるクラッチ機構／フリーホイールの構造体は、駆動軸４２と直接関連する可能性がある。かかる実施形態において、駆動ギア３８のそれぞれは、プーリー３６が巻き戻されると逆方向に回転し、次いで被駆動ギア４０および対応する駆動軸４２を、駆動または干渉することなしに空気チャンバー１４の意図する回転方向に自由に回転させる。
【００３４】
上述のように、および本明細書に別途記載したように、空気チャンバー１４の内部１４’内での、抵抗装置／ファン構造体１６の動作および／または回転に対する抵抗は、複数のファンブレード１８と内部１４’内の空気との抵抗性の相互作用の結果である。チャンバーの内部１４’内での抵抗装置１６の回転に対するかかる抵抗は、空気チャンバー１４内のおよび空気チャンバー１４を通る空気の量および／または流れに、少なくとも部分的に依存する可能性がある。
【００３５】
したがって、まず図３〜図５を参照すると、本発明のエクササイズ用組立体１０は、空気取入口（通常５０で表す）を含む。空気取入口５０は、少なくとも１つの、より現実的には複数の孔（５２で表す）を含む、開孔した構造を有する、回転可能に設置されたプレートまたは類似の構造体を含んでいてもよい。さらに、空気チャンバー１４は、空気チャンバー１４の離間した壁または側面により定義できる、二重給気口５４を含むことが好ましい。また、給気口５４のそれぞれは、少なくとも１つのまたは複数の、開口部または孔５４’を含む。空気取入口５０は、空気取入口５０の回転または他の適切な動作を達成するために、取っ手または類似の構造体５１の操作により二重給気口５４に対して移動可能である。空気取入口５０のかかる調整または動作により、結果として対応する、空気取入口にある孔５２と二重給気口のそれぞれにある孔５４’との整列またはずれにつながる。明白なように、孔５２と孔５４’との整列により、次いで結果としてより多くの空気の流れが空気チャンバー１４の外部から内部１４’へ流れ込み、また内部１４’を通る。対照的に、孔５２と孔５４’とを意図的にずらすことにより、結果として空気チャンバー１４の内部１４’に流れ込む空気が少なくなる。
【００３６】
空気チャンバー１４の内部１４’内に少なくとも部分的におよび一時的に維持された空気は、また、チャンバーの内部１４’から空気が通って出る開口端５３’を有する排気口または出口５３を設けることにより調節される。さらに、図１および図２に示すように、筐体１２は、それを通じて空気の取込みや排出を可能にするようにそれぞれ配置され構成された複数の通気孔５５および５６を含む。よって、空気は、通気孔５５を通って空気チャンバー１４の内部１４’に入り、排気口５３の開口端５３’を通って、また排気通気孔５６も通って内部１４’から出てもよい。また、図１および図２に示すように、排気通気孔５６および整列した排気口５３の開口部５３’を通って空気チャンバーの内部１４’から出る空気の量は、少なくとも部分的に開閉される程度に調整されてもよい。かかる調整は、その通気孔５６に少なくとも包含されるように配置され構成されている排気調節構造体５７’の位置を制御する、取っ手または類似の構造体５７の操作により生じてもよい。
【００３７】
よって、通気孔５６を閉めることにより、結果として内部１４’内により多くの空気が保持される。対照的に、空気取入口５０および給気口５４の、対応する開口部または孔５２および５４’が少なくとも部分的に整列していると仮定すると、通気孔５６を開けることにより、結果として内部１４’を通る空気の自由な流れが生じる。
【００３８】
さらに、エクササイズ用組立体１０の１つ以上の好ましい実施形態に関連する追加の構造的特徴には、筐体１２を持ち上げること、および／または別途筐体１２を様々な異なる場所に位置することを容易にするハンドル１３を有する筐体１２を含む。また、筐体１２は、特に図７により具体的に詳細に示される、外部部分に設置され、ディスプレイ組立体（通常８０で表す）を支持するように寸法取りされ構成された、またはディスプレイ組立体８０に構造的に関連させられた、支持区域またはプラットフォーム６０を含む。また、筐体１２は、ユーザーが筐体１２、ハンドル２６および連結構造体３０に対して動作可能で正しい位置取りをするための適切な座席または他のユーザー支持構造体と、筐体１２を相互連結する機能を持つストラップまたは類似の構造体６２を含んでいてもよい。
【００３９】
また、そのように位置したとき、筐体１２は、ユーザーの足またはユーザーの体の他の適切な部位を置くためのフットパッドまたは係合パッド６４を含む保持組立体を含む。また、保持組立体は、１つ以上のストラップ、ベルトまたは他の適切な保持部材などの保持部材６６を含んでいてもよい。使用する場合、保持部材６６は、特定の１つ以上の漕ぐ動きを実施している間、ユーザーが筐体１２に対して動くことを可能にする方法でユーザーの足と係合する。また、保持部材６６は、係合パッド６４に係合されているなど、ユーザーが保持部材６６に付けられている場合に、筐体がユーザーと共に移動することまたはユーザーに対して移動することを可能にするように構成されている。
【００４０】
より具体的には、筐体１２は移動可能な支持体（通常７０で表す）を含む。支持体７０は、支持面１００で筐体１２を支持する機能を果たす、１つ以上のコロ、キャスターまたは類似の移動可能な支持部材７２の形態であってもよい。さらに、移動可能な支持体７０および１つ以上の移動可能な支持部材７２のそれぞれは、ロック構造体または組立体７４と動作可能に関連付けられていてもよい。ロック組立体７４は、移動可能な支持部材７２に対して「ロックされた」位置と「ロックされていない」位置との間で選択的に配置されていてもよい。ロックされた向きにある場合、筐体１２は使用の際に、支持面に対しておよびユーザーの動作可能な位置に対して固定されている。結果として、カヤック漕ぎに関連する漕ぐ動きなどの様々な漕ぐ動きを実施する場合に、ユーザーは筐体１２に対して移動することができる。
【００４１】
対照的に、１つ以上のロック部材７４が移動可能な支持部材７２に対してロックされた向きに配置されている場合、筐体１２は支持面１００上を移動することができる。したがって、ユーザーが複数の異なる漕ぐ動きの任意の１つを実施する場合、筐体１２およびユーザーは、互いに対して移動できる。かかる相対的な動作は、保持ストラップまたは類似の部材６６が足またはユーザーの他の部分と係合することによって容易になる。例えば、ユーザーの脚を伸ばすことまたは縮めることは、結果として筐体１２に対するそのユーザーの動作につながり、場合によっては、例えば従来の２本の「オール」で漕ぐ動きを実施する場合の、筐体１２およびユーザーの互いに対する同時の動きにつながる。
【００４２】
また、図１および図７に概略的に示されるように、本発明のエクササイズ用組立体１０の１つ以上の好ましい実施形態はモーションセンサー組立体７６を含む。モーションセンサー組立体７６は、ハンドル２６と連結されているか、ハンドル２６に設置されているか、または別途ハンドル２６と動作可能に関連付けられている。よって、モーションセンサー組立体７６は、プロセッサー７８と協同してユーザーにより実施される際のハンドル２６の各「漕ぐ動き」を検出し処理するよう動作可能な加速度計、ジャイロスコープまたは他のアナライザー要素７７の動作可能な能力を有し得るセンサー装置を含む。さらに、モーションセンサー組立体７６は、アナライザー７７およびプロセッサー７８との動作可能な関係により、複数の異なる漕ぐ動きのそれぞれを互いと区別する異なる「モーションデータ」を生成または確立する。かかるモーションデータは、次に、近距離通信設備または他の動作可能な通信設備７９を通じてディスプレイ組立体８０に送信される。
【００４３】
また、関連するプロセッサー８２を含むディスプレイ組立体８０は、受信したモーションデータの処理およびその表示信号への変換を容易にするソフトウエアアプリケーション８４を含んでいてもよい。次いで、表示信号は、表示装置８６に送信されてもよいし、表示装置８６で視覚化されてもよい。表示装置８６での視覚表現は、エクササイズ用組立体のユーザーがそのハンドル２６を用いて実施しようとしている「現実の」漕ぐ動きまたは動作を行っている、ユーザー、実際のパドル、船などの再現の形態であってもよい。表示装置８６での視覚表現は、テレビゲーム、動画、仮想現実動画および／またはフィットネス用トラッキングソフトウエアなどの形態であってもよく、またはテレビゲーム、動画、仮想現実動画および／またはフィットネス用トラッキングソフトウエアなどに組み込まれていてもよい。さらに、ディスプレイ組立体は、モーションデータを移し換えて、適合するパドルの３次元の動作、およびテレビゲーム、動画、仮想現実動画、およびフィットネス用トラッキングソフトウエアに表示された、カヤックの漕ぎ手、ボートの漕ぎ手ならびに／またはカヤックおよび／もしくはボートの投影された３次元の動作に統合する適切なソフトウエア８４を備えたスマートフォン、タブレット、または仮想現実ゴーグルを備えるか含んでいてもよい。
【００４４】
本発明に記載した好ましい実施形態の詳細に対して多くの改変、変形、変更を行うことができるため、上記の説明および添付の図面に示した全ての事項は、例示として解釈されることを意図しており、限定的な意味で解釈されないことを意図している。したがって、本発明の範囲は、添付の請求項およびその法的同等物によって決められるべきである。
【００４５】
以上、本発明を説明した。
【符号の説明】
【００４６】
１０      エクササイズ用組立体
１２      筐体
１３、２６       ハンドル
１４      チャンバー
１６      抵抗装置、ファン構造体
１８      ブレード
２０      駆動組立体
２２、２４       駆動部
２６’、２６”   自由端
２７      ボールジョイント台
２８      ボール
２９      空洞
３０      連結構造体
３１      開口部、孔
３２、３４       連結部材
３６      プーリー
３６’    付勢部材
３６”    ケーシング
３８      駆動ギア
４０      被駆動ギア
４２      駆動軸
５０      空気取入口
５１、５７       取っ手
５２、５４’     孔
５３      排気口
５３’    開口端
５４      給気口
５５、５６       通気孔
５７’    排気調節構造体
６０      支持区域、プラットフォーム
６２      ストラップ
６４      フットパッド、係合パッド
６６      保持ストラップ
７０      支持体
７２      支持部材
７４      ロック構造体、ロック組立体
７６      モーションセンサー組立体
７７      アナライザー
７８、８２       プロセッサー
７９      通信設備
８０      ディスプレイ組立体
８４      ソフトウエアアプリケーション
８６      表示装置
１００    支持面
【図１】
2019521819.tif 000003
【図２】
2019521819.tif 000004
【図３】
2019521819.tif 000005
【図４】
2019521819.tif 000006
【図５】
2019521819.tif 000007
【図６】
2019521819.tif 000008
【図７】
2019521819.tif 000009
【図８】
2019521819.tif 000010
【国際調査報告】
2019521819.tif 000011